(57)【要約】表示パネル２１は、前面側に表示面ＨＧを有する表示素子７１および表示素子７１の背面側において表示素子７１を一体的に保持する金属製の保持部材７２を有する。保持部材７２には、その背面側に延びてプリント基板２２の端縁部を把持するための複数の爪部７２１が設けられ、かつ各爪部７２１の近傍において背面側に突出する突起７２２が設けられている。プリント基板２２は、保持部材７２の背面側において複数の爪部７２１によって把持され、かつその表面に設けられた接地パターンＰＴＧＨ１が突起７２２に当接することによって電気的に互いに接続される。
2009078057.tif 000002
【特許請求の範囲】
【請求項１】
表示パネルおよびプリント基板によって構成される表示パネル構造体であって、
前記表示パネルは、前面側に表示面を有する表示素子および前記表示素子の背面側において前記表示素子を一体的に保持する金属製の保持部材を有し、
前記保持部材には、その背面側に延びて前記プリント基板の端縁部を把持するための複数の爪部が設けられ、かつ前記各爪部の近傍において背面側に突出する突起が設けられており、
前記プリント基板は、前記保持部材の背面側において複数の前記爪部によって把持されかつその表面に設けられた接地パターンが前記突起に当接することによって電気的に互いに接続されている、
ことを特徴とする表示パネル構造体。
【請求項２】
前記爪部は４個以上であり、前記突起と前記接地パターンとの当接による電気的な接続は４箇所以上である、
請求項１記載の表示パネル構造体。
【請求項３】
前記突起は、１個の爪部に対応して２個設けられている、
請求項２記載の表示パネル構造体。
【請求項４】
前記表示パネルにはフレキシブルケーブルの一方の端部が接続され、かつ前記フレキシブルケーブルの他方の端部にコネクタが設けられ、前記コネクタが前記プリント基板に設けられたコネクタに接続されている、
請求項１記載の表示パネル構造体。
【請求項５】
前記表示素子は液晶表示素子であり、前記保持部は前記表示素子の機械的強度を補強する、
請求項１記載の表示パネル構造体。
【請求項６】
請求項１記載の表示パネル構造体が筐体内に取り付けられた電子装置。
【請求項７】
固定局と通信可能でありかつ複数の前記固定局間を切り替えながら通信可能なハンドオーバー機能を有する遠距離無線通信部と、
前記遠距離無線通信部よりも通信距離の短い無線通信を行う近距離無線通信部と、を有し、
前記遠距離無線通信部は、複数の通信規格の通信手段を有し、
前記近距離無線通信部は、複数の通信規格の通信手段を有する、
請求項６記載の電子装置
【請求項８】
前記遠距離無線通信部による無線通信のためのアンテナ素子が前記表示パネル構造体の近傍に設けられている、
請求項７記載の電子装置
【請求項９】
請求項８記載の電子装置に、さらに、前記遠距離無線通信部および前記近距離無線通信部に対する操作を行うための操作部を有する、
ことを特徴とする携帯型情報機器。
【発明の詳細な説明】
【技術分野】
【０００１】
本発明は、表示パネル構造体、それを用いた電子装置、および携帯型情報機器に関し、例えば薄型化された携帯電話機に適用される。
【背景技術】
【０００２】
近年において、携帯電話機の薄型化、ファッション性、および使い易さへの要望が一層強くなっている。薄型化をさらに進めるには、筐体、電池、プリント基板、その他の電子部品など、各部の薄型化および小型化を図る必要がある。また、ファッション性を意識してアンテナを内蔵する傾向が一層高くなり、筐体内の狭い空間に効率よくアンテナを収納するための構造が要求される。【０００３】
従来より、携帯電話機の筐体（ケース）は、ポリカーボネートまたはＡＢＳ樹脂などの合成樹脂の成形によって製作される。例えば受話器側（可動側）と送話器側（固定側）とをヒンジ機構で接続した折り畳み式の携帯電話機が知られている（特開２００５−３０３５４２）。このような携帯電話機では、送話器側の筐体は、表面に操作部が設けられるフロントケースと、フロントケースの裏面側に接して配置され内部に電池収納部が設けられるリアケ−スとから構成される。また、携帯電話機のアンテナ（内蔵アンテナ）は、棒状の合成樹脂からなる支持体に金属からなるアンテナ素子が一体的に設けられて構成され、リアケ−スの内側面の上辺部に沿って配置される。【０００４】
また、表示部側（可動側）の筐体と操作部側（固定側）の筐体とをスライド機構によって連結し、互いにスライド可能としたものが知られている（特開２００６−２４６３５３）。このような携帯電話機では、使用時には表示や操作のために筐体をスライドさせて開き、また、不使用時には筐体を閉じて小さくすることができる。【０００５】
ところで、このような携帯電話機では、通信規格または通信方式の異なる複数の電波を用いることが多く、周波数帯の異なる複数のアンテナ素子を備えている。それら複数のアンテナ素子のアンテナ特性を確保するとともに、アンテナ素子から輻射される種々の周波数帯の電波が各部の機能に悪影響を与えないようにするために、各部のグランド接続を充分に行う必要がある。つまり、電子部品、表示パネル、フレキシブルケーブル（フレキシブル基板）、シールドパターン、シールドケース、プリント基板、電池、筐体など、それぞれの接地電極または接地ラインを互いに太く短い距離で接続することにより、グランド接続を強化しておく必要がある。【０００６】
図２６は従来における表示パネル構造体の取り付け部分を示す断面図である。【０００７】
図２６において、従来の表示パネル構造体ＨＫｊは、表示パネル２１ｊおよびプリント基板２２ｊによって構成される。表示パネル２１ｊは、液晶表示素子ＤＬが金属製の保持板ＨＢに保持されて構成される。保持板ＨＢには、その端縁部に取付け端子ＴＴが設けられている。また、表示パネル２１ｊは、表示面ＨＧを外側に向けた状態でフロントケース１１ｊの表示部に嵌め込まれ、背面側に配置されたプリント基板２２ｊおよびスライド機構などの部材ＢＺとともにネジＮＪによってとも締めされ、それらが一体的に固定される。【０００８】
プリント基板２２ｊの表面には、取付け端子ＴＴに対応する位置に接地パターンが設けられているので、ネジＮＪを締め付けることにより、接地パターンが取付け端子ＴＴに強く接触してグランド接続が行われる。【０００９】
このように、従来において、表示パネル構造体ＨＫｊは、フロントケース１１ｊおよび他の部材ＢＺとともにネジＮＪによってとも締めされている。しかし、このようなとも締めを行った場合には、それぞれの部材の厚みが積算されることとなるので、筐体の厚さを一定限度以上薄くすることができない。【００１０】
したがって、上に述べたような薄型化の要求に応えるためには、上のようなとも締めを行うことなく、しかもグランド接続が確実に行われる表示パネル構造体を新たに案出する必要がある。【００１１】
また、扱う周波数帯が多くなりかつ広帯域になるにつれて、アンテナ特性の確保と種々の周波数帯の電波による悪影響を防ぐために、表示パネル２１ｊとプリント基板２２ｊとの間のグランド接続を一層確実に行う必要がある。
【発明の開示】
【００１２】
本発明は、上述の問題に鑑みてなされたもので、構造を複雑にすることなくグランド接続をより確実に行うことができ、しかも筐体の薄型化にも対応することが可能な表示パネル構造体を提供することを目的とする。
【００１３】
本発明の実施形態に係る表示パネル構造体では、表示パネルは、前面側に表示面を有する表示素子および前記表示素子の背面側において前記表示素子を一体的に保持する金属製の保持部材を有し、前記保持部材には、その背面側に延びて前記プリント基板の端縁部を把持するための複数の爪部が設けられ、かつ前記各爪部の近傍において背面側に突出する突起が設けられており、前記プリント基板は、前記保持部材の背面側において複数の前記爪部によって把持されかつその表面に設けられた接地パターンが前記突起に当接することによって電気的に互いに接続されている。
【００１４】
前記爪部は例えば４個以上であり、前記突起と前記接地パターンとの当接による電気的な接続は例えば４箇所以上である。前記突起は、例えば１個の爪部に対応して２個設けられる。
【００１５】
プリント基板は、複数の前記爪部によって把持されるとともに、突起がプリント基板の接地パターンに当接することによって積極的に互いの導通が図られる。
【図面の簡単な説明】
【００１６】
【図１】本発明の一実施形態に係る携帯電話機の正面図である。
【図２】携帯電話機の背面図および右側面図である。
【図３】携帯電話機の平面図である。
【図４】携帯電話機の斜視図である。
【図５】携帯電話機の筐体の分解斜視図である。
【図６】携帯電話機の固定側の左側面断面図である。
【図７】携帯電話機の固定側の分解斜視図である。
【図８】中間支持部材の正面図である。
【図９】中間支持部材の背面図である。
【図１０】中間支持部材の側面図である。
【図１１】メイン基板の正面図である。
【図１２】メイン基板の背面図である。
【図１３】サブ基板の正面図および背面図である。
【図１４】メイン基板の一部を拡大して示す図である。
【図１５】携帯電話機の全体の回路を示すブロック図である。
【図１６】携帯電話機の受話器側の筐体の分解斜視図である。
【図１７】携帯電話機の受話器側の筐体の分解斜視図である。
【図１８】表示用基板の正面図である。
【図１９】表示用基板の背面図である。
【図２０】表示パネル構造体の斜視図である。
【図２１】表示パネル構造体の分解斜視図である。
【図２２】保持部材の爪部の近傍を拡大して示す斜視図である。
【図２３】保持部材の爪部の近傍を拡大して示す断面図である。
【図２４】保持部材の爪部の近傍を拡大して示す側面図である。
【図２５】表示パネル構造体とフロントケースとの取付け部分の断面図である。
【図２６】従来の表示パネル構造体の取り付け部分を示す断面図である。
【発明を実施するための最良の形態】
【００１７】
図１〜図６において、本実施形態の携帯電話機１は、送話器側（固定側）ＳＧと受話器側（可動側）ＪＧとがスライド機構ＳＫによって連結されたスライド式のものである。【００１８】
受話器側ＪＧの筐体ＫＴＪは、フロントケース１１、およびフロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、後述するフロントケース３１およびリアケ−ス３２も同様に樹脂成形によって製作される。【００１９】
フロントケース１１の表面には、カラーＬＣＤからなる表示部１３が設けられ、その上方に内部の受話用スピーカの出力する音声を外部に伝えるための音声出力口１４、および内蔵された撮像部（カメラ）の光学窓１５が設けられている。さらに、フロントケース１１の下部には操作部ＳＢＪが設けられている。操作部ＳＢＪには、各種の設定を行ったり機能を選択するための種々の操作ボタンＢＴＪが設けられている。受話器側ＪＧの構造については後で詳しく説明する。【００２０】
送話器側ＳＧの筐体ＫＴＳは、表面に操作部ＳＢＳが設けられたフロントケース３１、および、フロントケース３１の裏面側に接して配置されたリアケ−ス３２からなる。操作部ＳＢＳには、電話番号やその他の情報を入力するための種々の操作ボタンＢＴＳが設けられている。操作ボタンＢＴＳを押すことによって、後述するプリント基板に設けられた接点やセンサなどがそれを検知するように構成されている。フロントケース３１の操作部ＳＢＳの下には、ユーザの音声を内部のマイクロホンに伝えるための音声入力口３３が設けられている。【００２１】
図２（Ａ）に示されるように、リアケ−ス３２には、スピーカの出力する音声を外部に伝えるための音声出力口３４、内蔵された撮像部（カメラ）２０８ｂの光学窓３５、指紋認証に用いる指紋センサー窓３６などが設けられている。また、リアケ−ス３２の内部には電池収納部ＲＤが設けられ、その表面は着脱が可能な電池蓋３７となっている。【００２２】
図５に示されるように、フロントケース１１とリアケ−ス１２、およびフロントケース３１とリアケ−ス３２は、それぞれ、それらの内部に必要な部品を収納した状態で、複数のネジＮＪによって結合され、一体化されている。送話器側ＳＧと受話器側ＪＧとは、それらの間がスライド機構ＳＫによってスライド可能に連結されている。【００２３】
本実施形態では、送話器側ＳＧにメインのプリント基板が配置されており、受話器側ＪＧの表示部１３および操作ボタンＢＴＪに接続されたフレキシブルケーブル七十四（ＺＵ１７参照）は、受話器側ＪＧのリアケ−ス１２の穴ＫＡＡ、スライド機構ＳＫの穴ＫＡＢ、および、送話器側ＳＧのフロントケース１１の穴ＫＡＣを挿通されて送話器側ＳＧの筐体ＫＴＳ内に引き込まれる。【００２４】
図７において、送話器側ＳＧの筐体ＫＴＳの内部には、サブのプリント基板であるサブ基板４１、中間支持部材４２、メインのプリント基板であるメイン基板４３、操作用基板４４などが配置されている。【００２５】
サブ基板４１およびメイン基板４３には、ＬＳＩ、ＩＣ、各種コネクタ、フレキシブルケ−ブル、その他種々の電子部品ＢＨが実装されている。操作用基板４４には、操作ボタンＢＴＪの操作を検知して入力する接点やセンサなどが配置されている。【００２６】
中間支持部材４２は、合成樹脂の成形によって製作されたものであり、サブ基板４１およびメイン基板４３を支持する。また、中間支持部材４２には、撮像部２０８ｂおよびスピーカ２１５ｂなどの部品が取り付けられ、さらに充電用の電極などが取り付けられる。【００２７】
また、メイン基板４３の表面の一部と中間支持部材４２の枠状の一部とによって、電池収納部ＲＤが形成されており、電池収納部ＲＤに電池ＤＴが収納され、その上部に電池蓋３７が装着される。【００２８】
次に、図８〜図１０を参照して中間支持部材４２について説明する。なお、図８は中間支持部材４２をリアケ−ス３２の側から見た図、図９は中間支持部材４２をフロントケース３１の側から見た図、図１０（Ａ）は図８における右側面図、図１０（Ｂ）は図８における左側面図である。【００２９】
図８〜図１０において、中間支持部材４２は、その外形がメイン基板４３の外形形状に近い形状であり、外形の周縁部に沿って、断続的に、厚さ方向に延びる壁面部４２１が設けられている。また、中間支持部材４２には、上に述べた電池収納部ＲＤの空間の他、空間ＫＫ１，ＫＫ２，ＫＫ３が設けられ、さらに、連接用穴ＲＡ１，ＲＡ２および連接用凹部ＲＢ３，ＲＢ４が設けられている。空間ＫＫ３には、上に述べた撮像部２０８ｂが嵌め込まれて取り付けられる。【００３０】
連接用穴ＲＡには、中間支持部材４２の両側に配置されるサブ基板４１とメイン基板４３との間の接地ライン（グランドライン）ＧＬを接続するための連接用電極６１（図１６〜図２１参照）が取り付けられる。つまり、それらサブ基板４１およびメイン基板４３には、それぞれ、互いに対向する位置に共通電極（後で説明する接地パターンＰＴＧＭ，ＰＴＧＳ）が設けられ、中間支持部材４２には、共通電極が設けられた位置に対応して、表裏を貫通する連接用穴ＲＡが設けられ、電気接点が両端部に形成されかつ爪部が形成された導電性材料からなる連接用電極６１が連接用穴ＲＡに挿入され、かつ爪部が連接用穴ＲＡに係合して抜け止めがなされ、２つの電気接点が２つのプリント基板の各共通電極に接触してそれらが互いに電気的に接続される。これによってグランド接続が強化される。詳しくは後で説明する。【００３１】
次に、図１１〜図１４を参照してメイン基板４３およびサブ基板４１について説明する。なお、なお、図１１〜図１３には、プリント基板のパターンが示されており、ＬＳＩなどの電子部品は示されていない。図１４には電子部品が取り付けられた状態が示されている。【００３２】
図１１図および図１２において、メイン基板４３の正面側表面４３ａおよび背面側表面４３ｂには、種々のＬＳＩその他の電子部品が、表面実装技術を用いた半田付けによって取り付けられる。【００３３】
例えば、図１１に示す正面側表面４３ａのパターン領域ＰＥ１には、変調または逓倍などの機能を有するＷＣＤＭＡのＴＲＸモジュールが取り付けられる。パターン領域ＰＥ２には、デュプレックサーの機能を有するＷＣＤＭＡのＲＦ部のＬＳＩが取り付けられる。パターン領域ＰＥ３には、２ＧＨｚ用のパワーアンプのＬＳＩが取り付けられる。パターン領域ＰＥ４には、８００ＭＨｚ用のパワーアンプのＬＳＩが取り付けられる。パターン領域ＰＥ５には、無線ＬＡＮ用のＬＳＩモジュールが取り付けられる。パターン領域ＰＥ６には、ＣＰＵまたはＤＳＰなどの制御または処理の中心となるＬＳＩが取り付けられる。【００３４】
これらのパターン領域ＰＥには、上に述べた電子部品が取り付けられた上に、図１４に示すように、さらに電磁シールド用のシールドケースＳＣが取り付けられる。例えば、パターン領域ＰＥ１〜ＰＥ４の電子部品および回路をシールドするために、シールドケースＳＣ１が取り付けられる。パターン領域ＰＥ５にはシールドケースＳＣ２が取り付けられ、パターン領域ＰＥ６にはシールドケースＳＣ３が取り付けられる。【００３５】
図１１において、メイン基板４３の左上端部に、近距離無線通信である無線ＬＡＮのための、プリントパターンによる５ＧＨｚ用のアンテナ素子２０６ａが示されている。【００３６】
また、メイン基板４３には、正面側表面４３ａおよび背面側表面４３ｂともに、その周縁部に、接地ラインＧＬを構成する接地パターン（グランドパターン）ＰＴＧが設けられている。メイン基板４３は多層基板であるので、メイン基板４３の表面において繋がっていなくても、接地パターンＰＴＧ同士は基板の内部の層で繋がっている。そのため、接地パターンＰＴＧは、メイン基板４３の表面に断続的に現れている。図１１に示す特定の接地パターンＰＴＧＭ１，ＰＴＧＭ２も、接地パターンＰＴＧの一部である。【００３７】
図１３（Ａ）（Ｂ）において、サブ基板４１の正面側表面４１ａおよび背面側表面４１ｂには、種々のＬＳＩその他の電子部品が、表面実装技術を用いた半田付けによって取り付けられる。例えば、正面側表面４１ａには指紋センサー２１１が取り付られ、背面側表面４１ｂには、ＳＩＭカード４１２およびマイクロＳＤメモリ４１３などが取り付けられる。また、サブ基板４１には、フレキシブルケーブル４１１が接続されており、フレキシブルケーブル４１１の先端のコネクタがメイン基板４３に設けられたコネクタに接続されることにより、サブ基板４１の回路とメイン基板４３の回路とが接続される。【００３８】
サブ基板４１においても、正面側表面４１ａおよび背面側表面４１ｂともに、その周縁部に接地パターンＰＴＧが設けられている。図１３（Ｂ）に示す特定の接地パターンＰＴＧＳ１〜ＰＴＧＳ４も、接地パターンＰＴＧの一部である。【００３９】
メイン基板４３に設けられた特定の接地パターンＰＴＧＭ１，ＰＴＧＭ２、およびサブ基板４１に設けられた特定の接地パターンＰＴＧＳ１，ＰＴＧＳ２は、互いに対向する位置であって、かつ上に述べた連接用穴ＲＡ１，ＲＡ２の位置に対応して設けられている。連接用穴ＲＡ１，ＲＡ２に挿入される連接用電極６１によって、互いに対向する接地パターンＰＴＧＭ，ＰＴＧＳ同士が電気的に接続され、グランド接続が強化される。なお、接地パターンＰＴＧつまり接地ラインＧＬは、電池ＤＴのマイナス側に接続されている。【００４０】
図１４において、メイン基板４３の正面側表面４３ａに設けられたコネクタＣＮ１には、撮像部２０８ｂに接続されたフレキシブルケーブル（フレキシブル基板）２２１の先端のコネクタＣＮ２が接続されている。また、リアケ−ス３２の内側面の上辺部、つまりメイン基板４３の上端部の近傍には、遠距離無線通信のためのアンテナ素子２０５が配置されている。このアンテナ素子２０５は、２ＧＨｚ用のアンテナ素子２０５ａと８００ＭＨｚ用のアンテナ素子２０５ｂとを備えたデュアルバンド用のものである。【００４１】
また、図１４において、近距離無線通信である無線ＬＡＮのための、プリントパターンによる２．４ＧＨｚ用のアンテナ素子２０６ｂが示されている。アンテナ素子２０６ｂは、図示しない同軸ケーブルによってメイン基板４３の無線ＬＡＮ回路に接続されている。また、図１４において、近距離無線通信の一種である非接触通信用規格であるＦｅｌｉＣａ（登録商標）のための、フレキシブルケーブルを用いたループ式のアンテナ素子２０６ｃが示されている。【００４２】
次に、携帯電話機１の全体的な回路について説明する。【００４３】
図１５において、携帯電話機１は、制御部２０１、ＲＦ回路部２０２、パワー部２０３、無線ＬＡＮ部２０４、アンテナ素子２０５（２０５ａ，ｂ），２０６（２０６ａ〜ｃ）、表示部１３、撮像部２０８（２０８ａ，ｂ）、操作部ＳＢ、メモリ２０９、ＵＳＢインタフェース部２１０、指紋センサー２１１、ベースバンド部２１２、音声ＩＦ部２１３、マイクロホン２１４、およびスピーカ２１５（２１５ａ，ｂ）などからなる。【００４４】
制御部２０１は、ＣＰＵまたはＤＳＰなどによって構成され、各部の動作および全体の動作を制御する。また、制御部２０１は、メモリに格納された種々のＯＳおよびアプリケーションプログラムを実行することによって、種々の処理を行い、また種々の機能を実現することができる。【００４５】
ＲＦ回路部２０２は、本発明における「遠距離無線通信部」に相当する。ＲＦ回路部２０２によって、無線ネットワークにおける固定局（基地局）と通信可能である。ＲＦ回路部２０２は、複数の固定局間を切り替えながら通信可能なハンドオーバー機能を有する。パワー部２０３は、主として上に述べたパターン領域ＰＥ１〜３の中に配置される。【００４６】
無線ＬＡＮ部２０４は、本発明における「近距離無線通信部」に相当する。ＲＦ回路部２０２よりも通信距離の短い無線通信を行う。【００４７】
また、ＲＦ回路部２０２および無線ＬＡＮ部２０４は、それぞれ、複数の通信規格の通信手段を有する。例えば、ＦＯＲＭＡ−Ｂ、ＷＣＤＭＡ、ＷｉＭＡＸ、無線ＬＡＮなどの通信規格に適応し、これらの通信規格の異なる固定局に対してハンドオーバーが可能である。無線ＬＡＮとして、Ｂｌｕｅｔｏｏｔｈ、ＷｉｒｅｌｅｓｓＵＳＢ、ＲＦ−ＩＤなどの種々の通信規格に適応可能とすることもできる。【００４８】
メモリ２０９は、上に述べたＳＩＭカード４１２、マイクロＳＤメモリ４１３、その他の半導体メモリまたは磁気ディスクなどを含む。ＳＩＭカード４１２には、例えば、電話番号、ＳＩＰアドレス、ＩＰアドレスなど、通信に関する情報やユーザの個人情報などが記憶される。マイクロＳＤメモリ４１３には、例えば、撮影した画像データ、送受信した電子メール、ネットワークからダウンロードしたデータ、電話帳のデータなどが記憶される。【００４９】
ＵＳＢインタフェース部２１０を用いて、携帯電話機１をパーソナルコンピュータのＵＳＢインタフェースに接続し、またはＵＳＢインタフェースを持った電子デバイスと接続することが可能である。【００５０】
これらの動作に必要な電源は、電池ＤＴから供給され、またはＵＳＢインタフェース部２１０を介してパーソナルコンピュータなどから供給され、または図示しない充電装置からコネクタなどを介して供給される。【００５１】
次に、受話器側ＪＧの構造について、特に表示パネル構造体ＨＫにおける表示パネル２１と表示用基板２２とのグランド接続のための接触構造について説明する。なお、表示パネル構造体ＨＫとその周辺の部品によって表示部１３が構成される。【００５２】
図１６〜図２２において、受話器側ＪＧの筐体ＫＴＪの内部には、表示パネル２１、表示用のプリント基板である表示用基板２２、および操作用基板２３などが配置されている。【００５３】
表示パネル２１は、前面側に表示面ＨＧを有する表示素子７１および表示素子７１の背面側において表示素子７１を一体的に保持する金属製の保持部材７２を有する。保持部材７２には、その背面側に延びて表示用基板２２の端縁部を把持するための複数の爪部７２１が設けられ、かつ各爪部７２１の近傍において背面側に突出する突起７２２が設けられている。表示用基板２２は、保持部材７２の背面側において複数の爪部７２１によって把持され、かつその表面に設けられた接地パターンＰＴＧＨ１〜４が突起７２２に当接することによって電気的に互いに接続されている。【００５４】
このように、表示パネル構造体ＨＫは、表示パネル２１と表示用基板２２とによって構成される。表示用基板２２は、複数の爪部７２１によって把持されるとともに、突起７２２が表示用基板２２の接地パターンＰＴＧＨ１〜４に当接することによって、積極的に互いの導通が図られ、グランド接続が確実に行われている。【００５５】
しかも、保持部材７２に爪部７２１と突起７２２を板金加工などによって設けるだけであるので、部品点数を増やすことがなく、構造を複雑にすることがない。また、表示パネル構造体ＨＫは、それ自体が一体化されているから、筐体ＫＴＪに組み込むに当たって表示パネル構造体ＨＫの全体をネジＮＪなどでとも締めにする必要がなく、筐体ＫＴＪの薄型化を図ることが可能である。【００５６】
爪部７２１は、保持部材７２の各長辺の両端に近い位置に２箇所ずつ、合計４箇所に設けられている。各爪部７２１に２個の突起７２２が設けられている。【００５７】
なお、爪部７２１を５箇所以上設けてもよく、各爪部７２１に１個の突起７２２を設けるようにしてもよい。各爪部７２１に１個の突起７２２を設ける場合には、爪部７２１の中央位置前方に突起７２２を設けてもよく、また、爪部７２１の側方前方に設けてもよい。爪部７２１の側方前方に１個の突起７２２を設ける場合には、隣り合う２つの爪部７２１の互いに相手の爪部７２１に近い側に設けるのが好ましい。【００５８】
表示パネル２１には、フレキシブルケーブル７３の一方の端部が接続され、かつフレキシブルケーブル７３の他方の端部にコネクタＣＮ４が設けられ、コネクタＣＮ４が表示用基板２２の正面側表面２２ａに設けられたコネクタＣＮ３に接続される。【００５９】
フレキシブルケーブル７３には、表示素子７１の制御および画像データの転送に必要な信号ラインＳＬ、および接地ラインＧＬが含まれている。【００６０】
なお、表示素子７１は、上に述べたようにカラーの液晶表示素子であり、保持部材７２は表示素子７１の機械的強度を補強してガラスが割れたりするのを防止するものである。保持部材７２のグランド接続が充分でないと、無線通信における高周波特性に悪影響を与えることがあるが、本実施形態においては、上に述べたように爪部７２１と突起７２２によって確実なグランド接続が行われ、アンテナ特性などに悪影響を与えない。【００６１】
図１６および図１７には、受話用スピーカ２１５ａ、着信を振動によって知らせるためのバイブレータ２１６、および、表示用基板２２から送話器側ＳＧのメイン基板４３に信号ラインＳＬおよび接地ラインＧＬを接続するためのフレキシブルケーブル７４が示されている。フレキシブルケーブル７４は、表示用基板２２の背面側表面２２ｂに設けられたコネクタＣＮ５に一端部が接続され、他端部はメイン基板４３の背面側表面４３ｂに設けられたコネクタＣＮ７に接続される。【００６２】
図１８および図１９に示されるように、表示用基板２２には、正面側表面２２ａおよび背面側表面２２ｂともに、その周縁部に接地パターンＰＴＧつまり接地ラインＧＬが設けられている。正面側表面２２ａには、爪部７２１が設けられた位置に対応して、接地パターンＰＴＧが広くなって接地パターンＰＴＧＨ１〜４が形成されている。なお、表示用基板２２において、コネクタＣＮ３とコネクタＣＮ５とは、内部の層として形成された信号ラインＳＬによって接続されている。【００６３】
次に、爪部７２１および突起７２２の形状について説明する。【００６４】
図２３〜図２４において、保持部材７２は、例えば厚さが十分の数ｍｍ程度のステンレス鋼板の板金加工によって製作される。保持部材７２は、正面視が矩形である表示素子７１の外形とほぼ同形の底部７２ａ、および、底部７２ａの４辺においてほぼ直角に折り曲げられた側壁部７２ｂを有する。爪部７２１が設けられる部分では、底部７２ａが爪部７２１よりも少し大きく切り欠かれて切り欠き部７２３が設けられる。切り欠き部７２３の残った部分が、ほぼ側壁部７２ｂの延長上に断面が緩いＳ字状となるように曲げられ、爪部７２１が形成される。【００６５】
切り欠き部７２３の両側において、底部７２ａが内側からプレス加工によって膨出され、突起７２２が形成される。突起７２２は、例えば直径が十分の数ｍｍ程度、具体的には例えば十分の５ｍｍ程度、突出高さが百分の数ｍｍ程度、具体的には例えば百分の５ｍｍ程度である。【００６６】
表示用基板２２を取り付けるに当たっては、表示用基板２２の縁部が爪部７２１に嵌まり込むように押し当て、その状態で強く押し込むことによって爪部７２１に把持される。このとき、爪部７２１は外側へ弾性的に若干変形し、弾性力によって表示用基板２２を突起７２２の方へ押し付けるような状態で把持する。このように、爪部７２１の作用によって、表示用基板２２が位置決めされて確実に把持され、かつ突起７２２と接地パターンＰＴＧＨ１〜４との接触が確実となり、表示パネル構造体ＨＫそれ自体の一体化が図られる。【００６７】
このように、爪部７２１の形状は、表示用基板２２の挿入を容易に行えるようにするとともに、挿入後においては、その弾性力によって表示用基板２２を両側から挟み、かつ突起７２２に向けてつまり底部７２ａに向けて強く押し付けるような形状とすればよい。【００６８】
なお、表示パネル２１と表示用基板２２とを互いに傷つけることなく分離することもできる。側壁部７２ｂがない場合には、底部７２ａからの延長部分を折り曲げて爪部７２１とすればよい。【００６９】
図２０によく示されるように、保持部材７２には、角部の３箇所に取付け端子７２４が設けられている。それに対応して、表示用基板２２には、２つの凹部ＥＫ１，２および１つの取付け端子７２７が設けられている。取付け端子７２７は、表示用基板２２における接地パターンＰＴＧと接続されている。【００７０】
２つの凹部ＥＫ１，２は、２つの取付け端子７２４をフロントケース１１に取り付けに当たり、表示用基板２２がフロントケース１１と干渉しないようにするためのものである。取付け端子７２７は、１つの取付け端子７２４とともにフロントケース１１にネジＮＪによってとも締めで取り付けられる。【００７１】
図２５に示すように、表示パネル構造体ＨＫは、フロントケース１１の所定の位置に嵌め込んだ状態で、取付け端子７２４の穴に挿入したネジＮＪをフロントケース１１に一体化されたナットＮＴにネジ込むことによって取り付けられる。【００７２】
このように、表示パネル構造体ＨＫは、厚さの薄いつまり保持部材７２の板厚分のみの取付け端子７２４を介して、ネジＮＪによってフロントケース１１に固定することができるので、筐体ＫＴＪの薄型化を図ることができる。【００７３】
なお、ネジＮＪは、リアケ−ス１２の外側からまたはスライド機構ＳＫの外側から挿入して、リアケ−ス１２またはスライド機構ＳＫとともに固定するものであってもよい。また、取付け端子７２４の側からネジＮＪを挿入するのでなく、フロントケース１１の前面側からネジＮＪを挿入して取付け端子７２４を固定するものであってもよい。【００７４】
上の実施形態では、表示パネル構造体ＨＫを表示部１３に用いた携帯電話機１について説明した。しかし、これと同様に、表示パネル構造体ＨＫを携帯電話機１以外の携帯型情報機器、携帯端末機、通信装置、電子装置などに適用することが可能である。【００７５】
その他、爪部７２１、突起７２２、表示素子７１、保持部材７２、表示パネル２１、表示用基板２２、表示パネル構造体ＨＫ、または携帯電話機１の全体または各部の構成、構造、形状、寸法、材質、個数、制御内容などは、本発明の趣旨に沿って適宜変更することができる。
【図１】
2009078057.tif 000003
【図２】
2009078057.tif 000004
【図３】
2009078057.tif 000005
【図４】
2009078057.tif 000006
【図５】
2009078057.tif 000007
【図６】
2009078057.tif 000008
【図７】
2009078057.tif 000009
【図８】
2009078057.tif 000010
【図９】
2009078057.tif 000011
【図１０】
2009078057.tif 000012
【図１１】
2009078057.tif 000013
【図１２】
2009078057.tif 000014
【図１３】
2009078057.tif 000015
【図１４】
2009078057.tif 000016
【図１５】
2009078057.tif 000017
【図１６】
2009078057.tif 000018
【図１７】
2009078057.tif 000019
【図１８】
2009078057.tif 000020
【図１９】
2009078057.tif 000021
【図２０】
2009078057.tif 000022
【図２１】
2009078057.tif 000023
【図２２】
2009078057.tif 000024
【図２３】
2009078057.tif 000025
【図２４】
2009078057.tif 000026
【図２５】
2009078057.tif 000027
【図２６】
2009078057.tif 000028
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
表示パネルおよびプリント基板によって構成される表示パネル構造体であって、
前記表示パネルは、前面側に表示面を有する表示素子および前記表示素子の背面側において前記表示素子を一体的に保持する金属製の保持部材を有し、
前記保持部材には、その背面側に延びて前記プリント基板の端縁部を把持するための複数の爪部が設けられ、かつ前記各爪部の近傍において背面側に突出する突起が設けられており、
前記プリント基板は、前記保持部材の背面側において複数の前記爪部によって把持されかつその表面に設けられた接地パターンが前記突起に当接することによって電気的に互いに接続されている、
ことを特徴とする表示パネル構造体。
【請求項２】
前記爪部は４個以上であり、前記突起と前記接地パターンとの当接による電気的な接続は４箇所以上である、
請求項１記載の表示パネル構造体。
【請求項３】
前記突起は、１個の爪部に対応して２個設けられている、
請求項２記載の表示パネル構造体。
【請求項４】
前記表示パネルにはフレキシブルケーブルの一方の端部が接続され、かつ前記フレキシブルケーブルの他方の端部にコネクタが設けられ、前記コネクタが前記プリント基板に設けられたコネクタに接続されている、
請求項１記載の表示パネル構造体。
【請求項５】
請求項１記載の表示パネル構造体が筐体内に取り付けられた電子装置。
【請求項６】
固定局と通信可能でありかつ複数の前記固定局間を切り替えながら通信可能なハンドオーバー機能を有する遠距離無線通信部と、
前記遠距離無線通信部よりも通信距離の短い無線通信を行う近距離無線通信部と、を有し、
前記遠距離無線通信部は、複数の通信規格の通信手段を有し、
前記近距離無線通信部は、複数の通信規格の通信手段を有する、
請求項５記載の電子装置
【請求項７】
前記遠距離無線通信部による無線通信のためのアンテナ素子が前記表示パネル構造体の近傍に設けられた請求項６記載の電子装置に、さらに、前記遠距離無線通信部および前記近距離無線通信部に対する操作を行うための操作部を有する、
ことを特徴とする携帯型情報機器。
【国際調査報告】
2009078057.tif 000029
2009078057.tif 000030
2009078057.tif 000031
2009078057.tif 000032